(57)【要約】      （修正有）【課題】連動元の復旧に対し連動先を自動的に復旧させて連動警報の停止操作を不要とする。【解決手段】住警器１０−１の連動元警報処理部６０は火災を検出するセンサ部３４からの火災検出信号を受けて、連動元を示す警報を出力させると共に、火災を示すイベント信号を連動先の住警器１０−２〜１０−５に送信させる。連動先警報処理部６２は、他の住警器１０−２〜１０−５から火災を示すイベント信号を受信した時に、連動先を示す警報を出力させる。復旧処理部６４はセンサ部３４から出力されている火災検出信号がなくなった時に、連動元を示す警報を停止させる共に、火災復旧を示すイベント信号を連動先の住警器１０−２〜１０−５に送信させ、一方、他の住警器１０−２〜１０−５から火災復旧を示すイベント信号を受信した時に、連動先を示す警報を停止させる。【選択図】図３
2010250716.tif 000002
【特許請求の範囲】
【請求項１】
イベント信号を他の警報器との間で送受信する送受信回路部と、
警報を出力する報知部と、
警報停止手段を備えた操作部と、
警報器と別体又は一体に設けられ、異常を検出するセンサ部からの異常検出信号を受けて、連動元を示す警報を出力させると共に、異常を示すイベント信号を連動先の警報器に送信させる連動元警報処理部と、
他の警報器から異常を示すイベント信号を受信した時に、連動先を示す警報を出力させる連動先警報処理部と、
前記センサ部から出力されている異常検出信号がなくなった時に、連動元を示す警報を停止させる共に、異常復旧を示すイベント信号を連動先の警報器に送信させ、一方、他の警報器から異常復旧を示すイベント信号を受信した時に、連動先を示す警報を停止させる復旧処理部と、
を備えたことを特徴とする警報器。
【請求項２】
請求項１記載の警報器に於いて、更に、連動警報停止処理部を備え、
前記連動警報停止処理部は、
前記連動元を示す警報の出力中に、前記警報停止の操作を検出した時は連動元を示す警報を停止すると共に、警報停止のイベント信号を他の警報器に送信して警報停止させ、一方、前記連動元を示す警報の出力中に、他の警報器から警報停止のイベント信号を受信した時は、前記連動元を示す警報を継続させるか又は停止させ、
前記連動先を示す警報の出力中に、前記警報停止手段の操作を検出した時は、前記連動先を示す警報を停止させると共に警報停止のイベント信号を他の警報器に送信し、一方、前記連動先を示す警報の出力中に、他の警報器から警報停止のイベント信号を受信した時は、前記連動先を示す警報を停止させることを特徴とする警報器。
【請求項３】
請求項２記載の警報器に於いて、前記復旧処理部は、
前記センサ部から異常検出信号を受けて連動元を示す警報を出力している状態で、前記センサ部から出力されている異常検出信号がなくなった時に、連動元を示す警報を停止して通常の監視状態に遷移させることを特徴とする警報器。
【請求項４】
請求項２記載の警報器に於いて、前記復旧処理部は、
前記センサ部から異常検出信号を受けて連動元を示す警報を出力している状態で、他の警報器から異常復旧を示すイベント信号を受信した時に、連動先を示す警報の出力状態を維持することを特徴とする警報器。
【請求項５】
請求項２記載の警報器に於いて、前記復旧処理部は、
前記センサ部から異常検出信号を受けて出力した連動元を示す警報を停止している状態で、前記センサ部から出力されている異常検出信号がなくなった時に、通常の監視状態に遷移させることを特徴とする警報器。
【請求項６】
請求項２記載の警報器に於いて、前記復旧処理部は、
前記センサ部から異常検出信号を受けて出力した連動元を示す警報を停止している状態で、他の警報器から異常復旧を示すイベント信号を受信した時に、連動先を示す警報の停止状態を維持することを特徴とする警報器。
【請求項７】
請求項２記載の警報器に於いて、前記復旧処理部は、
他の警報器から異常を示すイベント信号を受信して連動先を示す警報を出力している状態で、他の警報器から異常復旧を示すイベント信号を受信した時に、通常の監視状態に遷移することを特徴とする警報器。
【請求項８】
請求項２記載の警報器に於いて、前記復旧処理部は、
他の警報器から異常を示すイベント信号を受信して出力した連動先を示す警報を停止している状態で、他の警報器から異常復旧を示すイベント信号を受信した時に、通常の監視状態に遷移することを特徴とする警報器。
【請求項９】
請求項２記載の警報器に於いて、前記復旧処理部は、
前記センサ部から異常検出信号を受け、他の警報器から異常を示すイベント信号を受信し、且つ連動元を示す警報を出力している状態で、前記センサ部から出力されている異常検出信号がなくなった時に、連動元を示す警報を停止して連動先を示す警報を出力する状態又は通常の監視状態に遷移させることを特徴とする警報器。
【請求項１０】
請求項２記載の警報器に於いて、前記復旧処理部は、
前記センサ部から異常検出信号を受け、他の警報器から異常を示すイベント信号を受信し、且つ連動元を示す警報を出力している状態で、他の警報器から異常復旧を示すイベント信号を受信した時に、連動元を示す警報を停止して連動先を示す警報を出力する状態又は通常の監視状態に遷移させることを特徴とする警報器。
【請求項１１】
請求項２記載の警報器に於いて、前記復旧処理部は、
前記センサ部から異常検出信号を受け、他の警報器から異常を示すイベント信号を受信し、且つ連動先を示す警報を出力している状態で、前記センサ部から出力されている異常検出信号がなくなった時に、連動先を示す警報を出力する状態又は通常の監視状態に遷移させることを特徴とする警報器。
【請求項１２】
請求項２記載の警報器に於いて、前記復旧処理部は、
前記センサ部から異常検出信号を受け、他の警報器から異常を示すイベント信号を受信し、且つ連動先を示す警報を出力している状態で、他の警報器から異常復旧を示すイベント信号を受信した時に、連動元を示す警報を出力する状態に遷移させることを特徴とする警報器。
【請求項１３】
請求項２記載の警報器に於いて、前記復旧処理部は、
前記センサ部から異常検出信号を受け、他の警報器から異常を示すイベント信号を受信し、且つ警報を停止している状態で、前記センサ部から出力されている異常検出信号がなくなった時に、連動先を示す警報を出力する状態、連動先を示す警報の停止状態、又は通常の監視状態に遷移させることを特徴とする警報器。
【請求項１４】
請求項２記載の警報器に於いて、前記復旧処理部は、
前記センサ部から異常検出信号を受け、他の警報器から異常を示すイベント信号を受信し、且つ警報を停止している状態で、他の警報器から異常復旧を示すイベント信号を受信した時に、連動元を示す警報を出力する状態、又は連動元を示す警報の停止状態に遷移させることを特徴とする警報器。
【発明の詳細な説明】
【技術分野】
【０００１】
本発明は、火災などの異常を検出して警報すると共に他の警報器に信号を送信して警報を連動出力させる警報器に関する。
【背景技術】
【０００２】
従来、住宅における火災やガス漏れなどの異常を検出して警報する住宅用警報器（以下「住警器」という）が普及しており、近年にあっては、１つの住戸に複数の住警器を設置して部屋毎に火災などの異常を監視する傾向も増加している。
【０００３】
このように住戸内に複数の住警器を設置した場合、異常が発生した部屋とは別の部屋に人がいた場合、警報音が聞こえず火災などの災害が広がる恐れがある。このため、住警器同士を有線接続し、ある住警器で火災を検出して警報した場合、他の住警器に信号を送って同時に警報させる連動警報ができるようにしている。
【０００４】
しかしながら、住警器同士を有線接続することは、有線工事が必要なためにコストが高くなる問題がある。この問題は無線式の住警器とすることで解消可能である。しかも、最近における無線回路用ＩＣの低消費電力化に伴い、他の住警器からの信号を受信可能とするために常時受信可能な動作状態としても、たとえば５年を超えるような、実用に耐える電池寿命が保証され、無線式住警器を実用化する環境が整いつつある。
【０００５】
ところで、従来の連動警報を行う住警器にあっては、ある住警器で火災を検出した場合には、火災を検出した連動元の住警器と連動先の住警器とでは異なる警報音を出力している。例えば火災を検出した連動元の住警器は、「ウーウー火災警報器が作動しました  確認してください」との音声メッセージが連続して流れ、一方、連動先の住警器では「ウーウー別の火災警報器が作動しました  確認してください」という音声メッセージを連続して流すようにしている。また、連動元の住警器の赤ランプは明滅とし、連動先の住警器の赤ランプは点滅とし、赤ランプの表示からも連動元か連動先かが区別できるようにしている。
【０００６】
一方、住警器には点検スイッチを兼ねた警報停止スイッチが設けられており、警報出力中に引き紐などによりスイッチを操作すると警報を停止するようにしている。連動警報を行う住警器の場合、火災を検出した連動元の住警器の警報停止スイッチを操作すると、全ての住警器の警報音が停止し、また連動先の住警器の警報停止スイッチを操作すると、その住警器の警報音のみが停止するようにしている。
【０００７】
更に、連動元の住警器で警報停止した場合、例えば火災検出の対象となった煙が残っていると、所定時間後に再び全ての住警器で警報する。
【先行技術文献】
【特許文献】
【０００８】
特開２００７−０９４７１９号公報
【発明の概要】
【発明が解決しようとする課題】
【０００９】
このような従来の連動警報を行う住警器にあっては、連動関係にある複数の住警器から警報音が出された場合には、連動元の住警器の設置場所に出向いて現場確認し、火災でないことが分かった場合には、例えば検煙部の煙流入口から息を吹き込んで中に入っている煙を出せば、センサ部からの火災検出信号がなくなり、自動的に連動元の警報音は停止して監視状態に復旧する。このとき煙が入ったまま警報音の停止操作を行うと、警報停止から所定時間後に再び警報することから、連動元の住警器から煙を出しておく必要がある。
【００１０】
しかし、連動元の警報器にあっては、煙を出すことにより警報を停止して監視状態に復旧させることができるが、連動元を復旧して警報を停止してしまうと、警報停止スイッチは警報中しか有効に機能しないため、復旧後に操作しても連動先の警報を停止することはできず、部屋を回りながら住警器の警報音を停止させる操作が必要であり、連動先の住警器の警報を停止するまでに手間と時間がかかる恐れがある。
【００１１】
本発明は、連動元の復旧に対し連動先を自動的に復旧させて連動警報の停止操作を不要とする無線式の住警器を提供することを目的とする。
【課題を解決するための手段】
【００１２】
本発明の警報器は、
イベント信号を他の警報器との間で送受信する送受信回路部と、
警報を出力する報知部と、
警報停止手段を備えた操作部と、
警報器と別体又は一体に設けられ、異常を検出するセンサ部からの異常検出信号を受けて、連動元を示す警報を出力させると共に、異常を示すイベント信号を連動先の警報器に送信させる連動元警報処理部と、
他の警報器から異常を示すイベント信号を受信した時に、連動先を示す警報を出力させる連動先警報処理部と、
センサ部から出力されている異常検出信号がなくなった時に、連動元を示す警報を停止させる共に、異常復旧を示すイベント信号を連動先の警報器に送信させ、一方、他の警報器から異常復旧を示すイベント信号を受信した時に、連動先を示す警報を停止させる復旧処理部と、
を備えたことを特徴とする。
【００１３】
本発明の警報器は、更に、連動警報停止処理部を備え、連動警報停止処理部は、
連動元を示す警報の出力中に、警報停止の操作を検出した時は連動元を示す警報を停止すると共に、警報停止のイベント信号を他の警報器に送信して警報停止させ、一方、連動元を示す警報の出力中に、他の警報器から警報停止のイベント信号を受信した時は、連動元を示す警報を継続させるか又は停止させ、
連動先を示す警報の出力中に、警報停止手段の操作を検出した時は、前記連動先を示す警報を停止させると共に警報停止のイベント信号を他の警報器に送信し、一方、前記連動先を示す警報の出力中に、他の警報器から警報停止のイベント信号を受信した時は、前記連動先を示す警報を停止させる。
【００１４】
復旧処理部は、センサ部から異常検出信号を受けて連動元を示す警報を出力している状態で、センサ部から出力されている異常検出信号がなくなった時に、連動元を示す警報を停止して通常の監視状態に遷移させる。
【００１５】
復旧処理部は、センサ部から異常検出信号を受けて連動元を示す警報を出力している状態で、他の警報器から異常復旧を示すイベント信号を受信した時に、連動を示す警報の出力状態を維持する。
【００１６】
復旧処理部は、センサ部から異常検出信号を受けて出力した連動元を示す警報を停止している状態で、センサ部から出力されている異常検出信号がなくなった時に、通常の監視状態に遷移させる。
【００１７】
復旧処理部は、センサ部から異常検出信号を受けて出力した連動元を示す警報を停止している状態で、他の警報器から異常復旧を示すイベント信号を受信した時に、連動先を示す警報の停止状態を維持する。
【００１８】
復旧処理部は、他の警報器から異常を示すイベント信号を受信して連動先を示す警報を出力している状態で、他の警報器から異常復旧を示すイベント信号を受信した時に、通常の監視状態に遷移する。
【００１９】
復旧処理部は、他の警報器から異常を示すイベント信号を受信して出力した連動先を示す警報を停止している状態で、他の警報器から異常復旧を示すイベント信号を受信した時に、通常の監視状態に遷移する。
【００２０】
復旧処理部は、センサ部から異常検出信号を受け、他の警報器から異常を示すイベント信号を受信し、且つ連動元を示す警報を出力している状態で、センサ部から出力されている異常検出信号がなくなった時に、連動元を示す警報を停止して連動先を示す警報を出力する状態又は通常の監視状態に遷移させる。
【００２１】
復旧処理部は、センサ部から異常検出信号を受け、他の警報器から異常を示すイベント信号を受信し、且つ連動元を示す警報を出力している状態で、他の警報器から異常復旧を示すイベント信号を受信した時に連動元を示す警報の出力状態を維持する又は通常の監視状態に遷移させる。
【００２２】
復旧処理部は、センサ部から異常検出信号を受け、他の警報器から異常を示すイベント信号を受信し、且つ連動先を示す警報を出力している状態で、センサ部から出力されている異常検出信号がなくなった時に、連動先を示す警報を出力する状態又は通常の監視状態に遷移させる。
【００２３】
復旧処理部は、センサ部から異常検出信号を受け、他の警報器から異常を示すイベント信号を受信し、且つ連動先を示す警報を出力している状態で、他の警報器から異常復旧を示すイベント信号を受信した時に、連動元を示す警報を出力する状態に遷移させる。
【００２４】
復旧処理部は、センサ部から異常検出信号を受け、他の警報器から異常を示すイベント信号を受信し、且つ警報を停止している状態で、センサ部から出力されている異常検出信号がなくなった時に、連動先を示す警報を出力する状態、連動先を示す警報の停止状態、又は通常の監視状態に遷移させる。
【００２５】
復旧処理部は、センサ部から異常検出信号を受け、他の警報器から異常を示すイベント信号を受信し、且つ警報を停止している状態で、他の警報器から異常復旧を示すイベント信号を受信した時に、連動元を示す警報を出力する状態、又は連動元を示す警報の停止状態に遷移させる。
【発明の効果】
【００２６】
本発明によれば、連動元の警報器に設けたセンサ部から出力されている異常検出信号が異常原因の解消によりなくなった時に、連動元を示す警報を停止させると共に、異常復旧を示すイベント信号を連動先の警報器に送信させ、他の警報器から異常復旧を示すイベント信号を受信した時に、連動先を示す警報を停止させるようにしたため、連動元の警報器の復旧に連動して連動先の警報器の復旧が自動的に行われて警報を停止して状態に入ることができ、連動元の警報器を復旧させた後の連動先の警報器に対する警報停止操作が不要となり、警報が出されても現場確認により異常でなかった場合の警報を停止して通常の監視状態に戻す復旧処理を簡単で効率良く行うことができる。
【図面の簡単な説明】
【００２７】
【図１】本発明による住警器の外観を示した説明図
【図２】住宅に対する住警器の設置状態を示した説明図
【図３】本発明による住警器の第１実施形態を示したブロック図
【図４】本実施形態で使用するイベント信号のフォーマットを示した説明図
【図５】本実施形態による連動警報と警報停止を示したタイムチャート
【図６】本実施形態による連動警報と火災復旧を示したタイムチャート
【図７】本実施形態による火災監視処理を示したフローチャート
【図８】本発明による住警器の発生イベントに対する状態遷移を一覧で示した説明図
【図９】図８の状態遷移に対応した効果説明の一覧を示した説明図
【図１０】図９に続く効果説明の一覧を示した説明図
【図１１】図１０に続く効果説明の一覧を示した説明図
【図１２】図１１に続く効果説明の一覧を示した説明図
【発明を実施するための形態】
【００２８】
図１は本発明による無線式の住警器の外観を示した説明図であり、図１（Ａ）に正面図を、図１（Ｂ）に側面図を示している。
【００２９】
図１において、本実施形態の住警器１０はカバー１２と本体１４で構成されている。カバー１２の中央には、周囲に煙流入口を開口した検煙部１６が配置され、火災による煙が所定濃度に達したときに火災を検出するようにしている。
【００３０】
カバー１２に設けた検煙部１６の左下側には音響穴１８が設けられ、この背後にスピーカを内蔵し、警報音や音声メッセージを出力できるようにしている。検煙部１６の下側には警報停止スイッチ２０が設けられている。警報停止スイッチ２０は点検スイッチとしての機能を兼ねている。
【００３１】
警報停止スイッチ２０の内部には、点線で示すようにＬＥＤ２２が配置されており、ＬＥＤ２２が点灯すると、警報停止スイッチ２０のスイッチカバーの部分を透過してＬＥＤ２２の点灯状態が外部から分かるようにしている。
【００３２】
また本体１４の裏側上部には取付フック１５が設けられており、設置する部屋の壁にビスなどをねじ込み、このビスに取付フック１５で取り付けることで、壁面に住警器１０を設置することができる。
【００３３】
なお図１の住警器１０にあっては、検煙部１６を備えた火災による煙を検出する住警器を例に取っているが、これ以外に火災による熱を検出するサーミスタを備えた住警器や、火災以外にガス漏れを検出する住警器についても、本発明の対象に含まれる。
【００３４】
図２は住宅に対する本実施形態の住警器の設置状態を示した説明図である。図２の例にあっては、住宅２４に設けられている台所、居間、主寝室、子供部屋のそれぞれに本実施形態の住警器１０−１〜１０−４が設置され、更に屋外に建てられたガレージ２６にも住警器１０−５を設置している。
【００３５】
住警器１０−１〜１０−５のそれぞれは、イベント信号を相互に無線により送受信する機能を備えており、５台の住警器１０−１〜１０−５で１つのグループを構成して、この住宅全体の火災監視を行っている。
【００３６】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５にあっては、連動元の住警器１０−４からの火災発報を示すイベント信号を受信すると、連動先としての警報動作を行う。
【００３７】
ここで連動元となった住警器１０−４の警報音としては、例えば音声メッセージにより「ウーウー  火災警報器が作動しました  確認してください」を連続して出力する。一方、連動先の住警器１０−１〜１０−３，１０−５にあっては、「ウーウー  別の火災警報器が作動しました  確認してください」といった音声メッセージを連続して出力する。
【００３８】
住警器１０−１〜１０−５が警報音を出している状態で、図１に示した住警器に設けている警報停止スイッチ２０を操作すると、警報音の停止処理が行われる。ここで、本実施形態の警報音の停止処理としては次のいずれかの停止処理を行う。
【００３９】
（１）住警器１０−１〜１０−５の内の任意の住警器の警報停止スイッチを押すと、連動元の住警器１０−４のみが警報音を流し、連動先の住警器１０−１〜１０−３，１０−５は警報音を停止する。
【００４０】
（２）警報中の住警器１０−１〜１０−５の内の任意の住警器の警報停止スイッチを操作すると、連動先、連動元に関わらず、全ての住警器の警報音を停止する。
【００４１】
（３）前記（１）の停止処理を第１モード、前記（２）の停止処理を第２モードとし、いずれか一方のモードを選択して停止処理を行う。
【００４２】
図３は本発明による住警器の実施形態を示したブロック図である。図３は図２に示した５台の住警器１０−１〜１０−５につき、その内の住警器１０−１について回路構成を詳細に示している。
【００４３】
住警器１０−１はＣＰＵ２８を備え、ＣＰＵ２８に対してはアンテナ３１を備えた無線回路部３０、記録回路部３２、センサ部３４、報知部３６、操作部３８及び電池電源４０を設けている。
【００４４】
無線回路部３０には送信回路４２と受信回路４４が設けられ、他の住警器１０−２〜１０−５との間でイベント信号を無線により送受信できるようにしている。無線回路部３０としては、日本国内の場合には、例えば４００ＭＨｚ帯の特定小電力無線局の標準規格として知られたＳＴＤ−３０（小電力セキュリティシステムの無線局の無線設備の標準規格）またはＳＴＤ−Ｔ６７（特定小電力無線局テレメータ用、テレコントロール用及びデータ伝送用無線設備の標準規格）に準拠した構成を備える。
【００４５】
もちろん無線回路部３０としては、日本国内以外の場所については、その地域の割当無線局の標準規格に準拠した内容を持つことになる。
【００４６】
記録回路部３２にはメモリ４６が設けられている。メモリ４６には住警器を特定するＩＤ（識別子）となる送信元符号５０と、図２のように複数の住警器で連動警報を行うグループを構成するためのグループ符号５２が格納されている。送信元符号５０としては、国内に提供される住警器の数を予測し、例えば同一符号として重複しないように２６ビットの符号コードが使用される。
【００４７】
グループ符号５２はグループを構成する複数の住警器に共通に設定される符号であり、無線回路部３０で受信した他の住警器からのイベント信号に含まれるグループ符号がメモリ４６に登録しているグループ符号５２に一致したときに、このイベント信号を有効な信号として受信して処理することになる。
【００４８】
またメモリ４６には状態記憶領域５５が設けられ、火災発報、連動元警報、他の住警器からの火災発報受信、連動先警報、警報停止といった各種の発生イベントを記憶し、新たに発生したイベントに対する状態の遷移制御を可能としている。この発生イベントの記憶は、発生イベントを順次記憶する方法と、前回の発生イベントに今回の発生イベントを上書きする方法がある。
【００４９】
なお本実施形態にあっては、記録回路部３２にメモリ４６を使用しているが、メモリ４６の代わりにディップスイッチを設け、ディップスイッチにより送信元符号５０やグループ符号５２を設定するようにしてもよい。送信元符号５０やグループ符号５２の符号長（ビット数）が少ない場合には、ディップスイッチを用いた記録回路部３２が望ましい。
【００５０】
センサ部３４には、本実施形態にあっては検煙部１６が設けられている。検煙部１６は煙濃度に応じた煙濃度検出信号を出力し、煙濃度検出信号が所定の火災レベルを超えると火災検出信号を出力する。また、火災検出信号を出力した後に、検煙部１６に流入した煙がなくなると、煙濃度検出信号が低下し、火災レベルを下回ると火災検出信号の出力が停止する。
【００５１】
なお、検煙部１６から煙濃度検出信号を出力してＣＰＵ２８に取り込み（ＡＤ変換）、ＣＰＵ２８側で所定の火災レベルを超えると火災発報を判別し、また、検煙部１６からの煙濃度検出信号が低下して火災レベルを下回ることで火災発報がなくなったことを判別するようにしても良い。
【００５２】
センサ部３４には検煙部１６以外に、火災による温度を検出するサーミスタを設けてもよい。またガス漏れ監視用の住警器の場合には、センサ部３４にガス漏れセンサが設けられることになる。
【００５３】
報知部３６にはスピーカ５８とＬＥＤ２２が設けられている。スピーカ５８は、図示しない音声合成回路部からの音声メッセージや警報音を出力する。ＬＥＤ２２は点滅や明滅、点灯などにより、火災などの異常を表示する。
【００５４】
操作部３８には警報停止スイッチ２０が設けられている。警報停止スイッチ２０を操作すると、住警器１０−１から流している警報音を停止することができる。警報停止スイッチ２０は、本実施形態にあっては点検スイッチと兼用している。警報停止スイッチ２０は、報知部３６からスピーカ５８により警報音を出力しているときにのみ有効となる。一方、警報音を出力していない通常監視状態で警報停止スイッチ２０は点検スイッチとして機能し、点検スイッチを押すと、報知部３６から点検用の音声メッセージなどが出力される。
【００５５】
電池電源４０は、例えば所定セル数のアルカリ乾電池を使用しており、電池容量としては住警器１０−１における無線回路部３０を含む回路部全体の低消費電力化により、約１０年の電池寿命を保証している。
【００５６】
ＣＰＵ２８にはプログラムの実行により実現される機能として、連動元警報出力処理部６０、連動先警報出力処理部６２、復旧処理部６４及び警報停止処理部６６が設けられている。
【００５７】
連動元警報出力処理部６０は、センサ部３４に設けた検煙部１６から火災検出信号が出力されたときに、報知部３６のスピーカ５８から連動元を示す警報音例えば「ウーウー  火災警報器が作動しました  確認してください」を繰り返し出力させると共に、火災発報を示すイベント信号を無線回路部３０の送信回路４２によりアンテナ３１から他の住警器１０−２〜１０−５に向けて送信させる。
【００５８】
連動先警報出力処理部６２は、他の住警器１０−２〜１０−５のいずれかから火災発報を示すイベント信号を無線回路部３０の受信回路４４により受信したときに、報知部３６のスピーカ５８から連動先を示す警報音例えば「ウーウー  別の火災警報器が作動しました  確認してください」となる音声メッセージを連続的に出力させる。
【００５９】
ここで、連動元警報出力処理部６０で火災発報を検出して連動元警報音を出すときには、報知部３６のＬＥＤ２２を例えば明滅させる。一方、連動先警報出力処理部６２で連動先警報音を出す場合には、報知部３６のＬＥＤ２２を点滅させる。これによって、連動元警報と連動先警報におけるＬＥＤ２２の表示を区別できるようにしている。もちろん、連動元警報と連動先警報のいずれについても、同じＬＥＤ２２の明滅または点滅表示であってもよい。
【００６０】
復旧処理部６４は、センサ部３４に設けた検煙部１６から出力されている火災検出信号が検煙部１６から煙がなくなることで出力されなくなった時に、連動元警報を停止させる共に、火災復旧を示すイベント信号を無線回路部３０の送信回路４２から連動先の住警器１０−２〜１０−５に送信させ、一方、他の住警器１０−２〜１０−５のいずれかから火災復旧を示すイベント信号を無線回路部３０の受信回路４４で受信した時に、連動先警報を停止させる。
【００６１】
これよって、住警器１０−１で連動元警報が出された場合、現場確認により火災でないことが分かった場合は、図１に示した検煙部１６の煙流入口から息を吹き込んで中に入っている煙を出せば、センサ部３４からの火災検出信号がなくなり、復旧処理部６４により自動的に連動元の警報音は停止して通常の監視状態に復旧することができる。
【００６２】
同時に住警器１０−１から連動先警報を出している他の住警器１０−２〜１０−５に火災復旧を示すイベント信号が送信され、それぞれの連動元警報を自動的に停止させることができ、住警器１０−２〜１０−５に出向いて警報停止操作を行う必要はない。
【００６３】
警報停止処理部６６は、連動元を示す警報音の出力中に操作部３８に設けている警報停止スイッチ２０の操作を検出したとき、スピーカ５８から出力している連動元を示す警報音を停止させると共に、警報停止のイベント信号を無線回路部３０の送信回路４２から他の住警器１０−２〜１０−５に送信し、他の住警器１０−２〜１０−５における連動先の警報音を停止させる。
【００６４】
この場合、スピーカ５８から出力している連動元を示す警報音を停止させずに、警報停止のイベント信号を無線回路部３０の送信回路４２から他の住警器１０−２〜１０−５に送信し、他の住警器１０−２〜１０−５における連動先の警報音を停止させ、連動元警報だけは残すようにしても良い。
【００６５】
また警報停止処理部６６は、連動先を示す警報音の出力中に操作部３８の警報停止スイッチ２０の操作を検出したとき、スピーカ５８から出力している連動先を示す警報音を停止させると共に、警報停止のイベント信号を無線回路部３０の送信回路４２から他の住警器１０−２〜１０−５に送信する。
【００６６】
更に警報停止処理部６６は、連動先を示す警報音の出力中に他の住警器１０−２〜１０−５から警報停止のイベント信号を無線回路部３０の受信回路４４により受信したときは、連動先を示す警報音を停止させる。
【００６７】
このような住警器１０−１に設けた回路部は他の住警器１０−２〜１０−５についても同様であり、メモリ４６に格納している送信元符号５０が各住警器固有の符号となっている。
【００６８】
図４は本実施形態で使用するイベント信号のフォーマットを示した説明図である。図４において、イベント信号４８は送信元符号５０、グループ符号５２及びイベント符号５４で構成されている。送信元符号５０は例えば２６ビットの符号である。またグループ符号５２は例えば８ビットの符号であり、同一グループを構成する例えば図３の５台の住警器１０−１〜１０−５につき同じグループ符号が設定されている。
【００６９】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００７０】
イベント符号５４は、火災、ガス漏れなどのイベント内容を表す符号であり、本実施形態にあっては２ビット符号を使用しており、例えば「００１」で火災、「０１０」でガス漏れ、「０１１」で復旧、更に「１００」で警報停止を示している。なおイベント符号５４のビット数は、イベントの種類が増加したときには更に４ビット、５ビットと増加させることで、複数種類のイベント内容を表すことができる。
【００７１】
図５は図３の実施形態による連動警報と警報停止を示したタイムチャートであり、図２に示したグループを構成する３台の住警器１０−１〜１０−３を例に取って処理を示している。
【００７２】
図５において、いま、住警器１０−１において火災が検出され、ステップＳ１で火災発報になったとすると、ステップＳ２で火災発報を示すイベント信号を通信可能エリアに設置している住警器１０−２，１０−３に対し無線送信する。
【００７３】
住警器１０−２，１０−３にあっては、住警器１０−１からのイベント信号を受信し、このイベント信号には図４に示したようにグループ符号５２が含まれており、住警器１０−２，１０−３のメモリに指定しているグループ符号と例えば同じであることから、グループ符号の一致によりイベント信号を有効な信号として受信し、そのイベント符号５４からステップＳ３，Ｓ４のそれぞれで火災発報を受信する。
【００７４】
火災を検出してイベント信号を送信した住警器１０−１は、ステップＳ５で連動元を示す警報音例えば「ウーウー  火災警報器が作動しました  確認してください」の音声メッセージを連続して出力する。一方、住警器１０−２，１０−３にあっては、ステップＳ６，Ｓ７のそれぞれで連動先を示す警報音例えば「ウーウー  別の火災警報器が作動しました  確認してください」となる音声メッセージを繰り返し出力する。
【００７５】
このような住警器１０−１〜１０−３における連動元警報または連動先警報の出力中に、例えば連動先となる住警器１０−２において警報停止スイッチ２０の操作がステップＳ８で検出されたとすると、ステップＳ９で警報停止を示すイベント信号が他の住警器１０−１，１０−３に対し送信される。
【００７６】
住警器１０−３にあっては、ステップＳ１１で警報停止のイベント信号を受信してイベント信号のグループ符号から有効信号であることを判別し、イベント内容から警報停止であることを認識し、ステップＳ１４で連動先を示す警報を停止する。
【００７７】
また、連動元の住警器１０−１にあっては、ステップＳ１０で警報停止のイベント信号を受信してグループ符号から有効信号であることを判別し、イベント内容から警報停止であることを認識し、ステップＳ１２で連動元を示す警報を停止する。
【００７８】
なお、連動元の住警器１０−１については、ステップＳ９で警報停止を認識しても、ステップＳ５で行った連動元警報を停止せず、継続的に連動元を示す警報音が出力するようにしても良い。これによって住警器１０−１〜１０−３の内の連動元の住警器１０−１の警報音のみが出力されており、別の部屋にいても火災発生場所が連動元を示す警報音から容易に判断できる。
【００７９】
ここで、図５にあっては、警報停止操作を連動先の住警器１０−２で行っているが、連動元の住警器１０−１又は連動先の住警器１０−３で行ったとしても、同様に連動元の住警器１０−１及び連動先の住警器１０−２，１０−３の全ての警報音を連動停止できる。
【００８０】
更に、ステップＳ８の警報停止操作により連動元の住警器１０−１及び連動先の住警器１０−３において警報音が停止したとしても、連動元の住警器１０−１に煙が残って火災検出状態が続いている場合には、警報停止のイベント信号の送信から規格上定めた１５分を超えない時間例えば１４分を経過した時点で火災発報のイベント信号を送信することで、連動元の住警器１０−１での連動元警報および連動先の住警器１０−２，１０−３での連動先警報を再度、出力させることになる。
【００８１】
図６は図３の実施形態による連動警報と火災復旧を示したタイムチャートであり、図２に示したグループを構成する３台の住警器１０−１〜１０−３を例に取って処理を示している。
【００８２】
図おいて、住警器１０−１において火災が検出され、ステップＳ２１で火災発報になったとすると、ステップＳ２２で火災発報を示すイベント信号を通信可能エリアに設置している住警器１０−２，１０−３に対し無線送信する。
【００８３】
住警器１０−２，１０−３にあっては、住警器１０−１からのイベント信号を受信し、このイベント信号には図４に示したようにグループ符号５２が含まれており、住警器１０−２，１０−３のメモリに指定しているグループ符号と例えば同じであることから、グループ符号の一致によりイベント信号を有効な信号として受信し、そのイベント符号５４からステップＳ２３，Ｓ２４のそれぞれで火災発報を受信する。
【００８４】
火災を検出してイベント信号を送信した住警器１０−１は、ステップＳ２５で連動元を示す警報音例えば「ウーウー  火災警報器が作動しました  確認してください」の音声メッセージを連続して出力する。一方、住警器１０−２，１０−３にあっては、ステップＳ２６，Ｓ２７のそれぞれで連動先を示す警報音例えば「ウーウー  別の火災警報器が作動しました  確認してください」となる音声メッセージを繰り返し出力する。
【００８５】
このような住警器１０−１〜１０−３における連動元警報または連動先警報の出力中に、連動元の住警器１０−１においてセンサ部１６からの火災検出信号がなくなってステップ火災Ｓ２８で火災復旧が判別されたとすると、ステップＳ２９で火災復旧を示すイベント信号を他の住警器１０−１，１０−３に送信し、ステップＳ３０で連動元を示す警報を停止し、通常の状態に戻る。
【００８６】
住警器１０−２，１０−３にあっては、ステップＳ３１，Ｓ３２で火災復旧のイベント信号を受信してグループ符号から有効信号であることを判別し、イベント内容から火災復旧であることを認識し、ステップＳ３３，Ｓ３４で連動先を示す警報を停止する。
【００８７】
このため連動元の住警器１０−１で火災が検出されなくなって復旧した場合には、連動元を示す警報が自動的に停止され、同時に連動先の住警器１０−２，１０−３についても連動先を示す警報が自動的に停止し、連動先の住警器１０−２，１０−３を設置している部屋に出向いて警報停止スイッチを操作して警報を止める必要がなく、火災以外の原因で住警器が火災発報となった場合の対応を連動元の住警器のみの復旧、例えば現場確認により火災でなかった場合に、検煙部に息を吹き込んで煙を出すことにより復旧させることで、連動している警報を全て停止して通常の監視状態に戻すことができる。
【００８８】
図７は図３の実施形態による火災監視処理を示したフローチャートであり、図３のＣＰＵ２８のプログラムの実行による処理となる。
【００８９】
図７において、火災監視処理は、ステップＳ４１で初期化および自己診断の処理を行う。この処理には、同じ住戸に設置されている例えば５台の住警器１０−１〜１０−５でグループを形成するためのグループ符号の設定などが含まれる。
【００９０】
続いてステップＳ４２で火災発報を監視しており、センサ部１６に設けた検煙部１６から火災検出信号が出力されると火災発報を判別してステップＳ４３に進み、火災発報を示すイベント信号を他の住警器に無線により送信する。続いてステップＳ４４で連動元を示す警報を出力する。
【００９１】
続いて、ステップＳ４５でセンサ部１６に設けた検煙部１６から火災検出信号が出力されなくなる火災復旧の有無を判別しており、火災発報が継続している場合はステップＳ４６で警報停止スイッチによる警報停止操作の有無を判別し、警報停止操作が無ければステップＳ５０で他の住警器からの警報停止のイベント信号の受信の有無を判別する処理を繰り返している。なお、火災発報の継続中にあっては、所定時間毎に火災発報を示すイベント信号の送信を繰り返している。
【００９２】
ステップＳ４５〜Ｓ４７の処理サイクル中に、センサ部１６に設けた検煙部１６から火災検出信号が出力されなくなるとステップＳ４５で火災復旧が判別され、ステップＳ４８で火災復旧のイベント信号を他の住警器に送信した後、ステップＳ５０に進んで連動元警報を停止し、この場合は通常の監視状態に戻る。
【００９３】
またステップＳ４７で他の住警器から警報停止イベント信号の受信を判別すると、ステップＳ５０に進んで連動元警報を停止する。更に、ステップＳ４６で自己の警報停止操作を判別した場合はステップＳ４９に進んで他の住警器に警報停止イベント信号を送信した後、ステップＳ５０で連動元警報を停止する。
【００９４】
なお、ステップＳ４６で自己の警報停止操作を判別した場合、またはステップＳ４７で他の住警器からの警報停止イベント信号を受信した場合について、ステップＳ５０の連動元警報の停止をスキップし、警報停止操作に対し連動元警報のみは残して継続させるようにしても良い。
【００９５】
一方、ステップＳ４２で火災発報でなかった場合には、ステップＳ５１で火災発報を示すイベント信号の他の住警器からの受信の有無を判別している。他の住警器から火災発報を示すイベント信号の受信を判別すると、ステップＳ５２に進み、連動先を示す警報を出力する。
【００９６】
続いてステップＳ５３で他の住警器からの火災復旧を示すイベント信号の受信の有無を判別しており、火災復旧を示すイベント信号を受信するとステップＳ５７に進んで連動先警報を停止し、この場合は通常の監視状態に戻る。
【００９７】
続いてステップＳ５４で他の住警器からの警報停止を示すイベント信号の受信の有無をチェックしており、警報停止を示すイベント信号の受信を判別すると、ステップＳ５７で連動先を示す警報を停止する。
【００９８】
続いてステップＳ５５で警報停止スイッチによる警報停止操作の有無を判別しており、警報停止操作を判別するとステップＳ５６で警報停止のイベント信号を他の住警器に送信した後、ステップＳ５７で連動先を示す警報を停止する。
【００９９】
図８は、本発明による住警器のイベント発生に対する状態遷移の一覧を示した説明図であり、前述した実施形態における動作も含めて示している。
【０１００】
図８において、左欄には住警器の動作状態を「機器状態」として状態１〜８に分けて示しており、上欄には、各状態で住警器に発生するイベントを発生イベントＥ１〜Ｅ７に分けて示している。
【０１０１】
左欄の状態１〜８と上欄の発生イベントＥ１〜Ｅ７の交差する枠内には、現在の状態から発生イベントによって遷移する遷移先の状態１〜８を示している。遷移先の状態は原則として１つであるが、複数の遷移先をもつ場合もある。なお、ブランクは存在しない組合せを示す。
【０１０２】
また、図８の状態遷移の動作説明において、住警器は次のような動作を行うことを前提としている。
（１）火災復旧時は、復旧信号を送信する。
（２）火災検出時は、火災信号を送信し、火災継続中は一定時間おきに自動的に火災信号を送信する。
（３）音響停止時は、音響停止信号を送信する。
【０１０３】
また、図８の遷移先の状態に対しては符号ａ〜ａｓを付している場合がある。符号ａ〜ａｓは、ある状態からイベント発生で他の状態に遷移した場合に、どのような効果が得られるかを示す図９〜図１２の効果説明の一覧との対応を示す符号である。
【０１０４】
次に図８の状態１〜８の各々において、イベントＥ１〜Ｅ７が発生した場合の遷移動作を説明すると次のようになる。なお、成立しない組合せは説明を省略する。
【０１０５】
この内、連動元の住警器での火災復旧となるイベントＥ１と他の住警器からの火災復旧のイベント信号の受信によるイベントＥ５について太枠で示し、更に、枠内に請求項との対応関係を示している。
【０１０６】
まず状態１は次のようになる。
【０１０７】
（状態１：発生イベントＥ１）  不成立
（状態１：発生イベントＥ２）
通常状態で火災検出となった場合であり、状態２の「連動元火災」に遷移する。
【０１０８】
（状態１：発生イベントＥ３）  不成立
（状態１：発生イベントＥ４）  不成立
（状態１：発生イベントＥ５）
通常状態で復旧信号受信となった場合であり、状態１を維持する。
【０１０９】
（状態１：発生イベントＥ６）
通常状態で火災信号受信となった場合であり、状態４の「連動先火災」に遷移する
（状態１：発生イベントＥ７）
通常状態で音響停止信号受信となった場合であり、状態１を維持するか、または状態５の「連動先火災＋音響停止」に遷移する。
【０１１０】
ここで遷移先の状態５については、効果説明符号ａが付されていることから、図９の対応説明として、「本来先に届くはずの火災信号が届かなかったことが想定される。本状態とすることで、音停時間オーバーで連動先報知音が出力されるため、別の場所でも火災が起きていることをユーザーに認識させることができる。」とする効果が得られる。
【０１１１】
次に状態２を説明する。
【０１１２】
（状態２：発生イベントＥ１）（請求項３対応）
連動元火災の状態で火災復旧となった場合であり、状態１の「通常」に遷移する。
【０１１３】
（状態２：発生イベントＥ２）
連動元火災の状態で火災検出となった場合であり、状態２の「連動元火災」を維持する。
【０１１４】
（状態２：発生イベントＥ３）
連動元火災の状態で音響停止操作となった場合であり、状態３の「連動元火災＋音響停止」に遷移する。
【０１１５】
（状態２：発生イベントＥ４）  不成立
（状態２：発生イベントＥ５）（請求項４対応）
連動元火災の状態で復旧信号受信となった場合であり、状態２の「連動元火災」を維持する。
【０１１６】
（状態２：発生イベントＥ６）
連動元火災の状態で他の住警器からの火災信号受信となった場合であり、状態６の「連動元火災＋連動先火災（連動元鳴動）」、状態７の「連動元火災＋連動先火災（連動先鳴動）」または状態４の「連動先火災」に遷移する。
【０１１７】
このうち、状態６及び状態７への遷移は、住警器のメモリに発生イベントを順次記憶する場合であり、これに対し状態４への遷移は、前回の発生イベントに今回の発生イベントを上書きする場合であり、前回の発生イベントは失われる。
【０１１８】
ここで、状態７に遷移した場合は、対応符号ｂによる図９の参照から、「別の場所でも火災が起きていることをユーザーに認識させることができる。」という効果が得られる。また、状態４に遷移した場合は、対応符号ｃによる図９の参照から、「別の場所でも火災が起きていることをユーザーに認識させることができる。複数の状態を持たなくて良いため、メモリ容量が削減できる。」という効果が得られる。この場合のメモリ容量の削減はメモリに対する発生イベントの上書きによるものである。
【０１１９】
（状態２：発生イベントＥ７）
連動元火災の状態で他の住警器からの音響停止信号受信となった場合であり、状態２の「連動元火災」の維持、状態３の「連動元火災＋音響停止」、状態８の「連動元火災＋連動先火災＋音響停止」、または状態５の「連動先火災＋音響停止」に遷移する。
【０１２０】
ここで状態３に遷移した場合は、対応符号ｄによる図９の参照から、「別の場所での操作により警報音を止められる。ユーザーの利便性を向上できる。」という効果が得られる。また、状態８に遷移した場合は、対応符号ｅによる図９の参照から、「別の場所での操作により警報音を止められる。ユーザーの利便性を向上できる。」という同じ効果が得られる。
【０１２１】
さらに、状態５に遷移した場合は、対応符号ｆによる図９の参照から、「別の場所での操作により警報音を止められる。ユーザーの利便性を向上できる。連動先火災の状態を持つので、音停時間オーバーで連動先報知音が出力されるため、別の場所でも火災が起きていることをユーザーに認識させることができる。複数の状態を持たなくて良いため、メモリ容量が削減できる。」という同じ効果が得られる。
【０１２２】
次に状態３を説明する。
【０１２３】
（状態３：発生イベントＥ１）（請求項５対応）
「連動元火災＋音響停止」の状態で火災復旧となった場合であり、状態１の「通常」に遷移する。
【０１２４】
（状態３：発生イベントＥ２）
「連動元火災＋音響停止」の状態で火災検出となった場合であり、状態３の「連動元火災＋音響停止」を維持する。
【０１２５】
（状態３：発生イベントＥ３）
「連動元火災＋音響停止」の状態で音響停止操作となった場合であり、状態３の「連動元火災＋音響停止」を維持するか、または、状態２の「連動元火災」に遷移する。
【０１２６】
ここで、状態２に遷移した場合は、対応符号ｇによる図９の参照から、「火災が継続中であることをユーザーに認識させることができる。」という効果が得られる。
【０１２７】
（状態３：発生イベントＥ４）
「連動元火災＋音響停止」の状態で音停時間オーバーとなった場合であり、状態２の「連動元火災」を維持する。
【０１２８】
（状態３：発生イベントＥ５）（請求項６対応）
「連動元火災＋音響停止」の状態で復旧信号受信となった場合であり、状態３の「連動元火災＋音響停止」を維持する。
【０１２９】
（状態３：発生イベントＥ６）
「連動元火災＋音響停止」の状態で他の住警器からの火災信号受信となった場合であり、状態６の「連動元火災＋連動先火災（連動元警報）」、状態７の「連動元火災＋連動先火災（連動先警報）」、状態８の「連動元火災＋連動先火災＋音響停止」、状態４の「連動先火災」、または状態５の「連動先火災＋音響停止」に遷移する。
【０１３０】
ここで、状態７に遷移した場合は、対応符号ｈによる図９の参照から、「別の場所でも火災が起きていることをユーザーに認識させることができる。」という効果が得られる。
【０１３１】
また、状態８に遷移した場合は、対応符号ｉによる図９の参照により、「連動先火災の状態を持つので、音停時間オーバーで連動先報知音を出力することもできるため、別の場所でも火災が起きていることをユーザーに認識させることができる。」という効果が得られる。
【０１３２】
また、状態４に遷移した場合は、対応符号ｊによる図９の参照から、「別の場所でも火災が起きていることをユーザーに認識させることができる。複数の状態を持たなくて良いため、メモリ容量が削減できる。」という効果が得られる。
【０１３３】
さらに、状態５に遷移した場合は、対応符号ｋによる図９の参照から、「連動先火災の状態を持つので、音停時間オーバーで連動先報知音が出力されるため、別の場所でも火災が起きていることをユーザーに認識させることができる。複数の状態を持たなくて良いため、メモリ容量が削減できる。」という効果が得られる。
【０１３４】
（状態３：発生イベントＥ７）
「連動元火災＋音響停止」の状態で他の住警器からの音響停止信号受信となった場合であり、状態３を維持するか、状態８の「連動元火災＋連動先火災＋音響停止」、または状態５の「連動先火災＋音響停止」に遷移する。
【０１３５】
ここで、状態８に遷移した場合は、対応符号ｌによる図１０の参照から、「連動先火災の状態を持つので、音停時間オーバーで連動先報知音を出力することもできるため、別の場所でも火災が起きていることをユーザーに認識させることもできる。」という効果が得られる。
【０１３６】
また、状態５に遷移した場合は、対応符号ｍによる図１０の参照から、「連動先火災の状態を持つので、音停時間オーバーで連動先報知音が出力されるため、別の場所でも火災が起きていることをユーザーに認識させることができる。複数の状態を持たなくて良いため、メモリ容量が削減できる。」という効果が得られる。
【０１３７】
次に状態４を説明する。
【０１３８】
（状態４：発生イベントＥ１）  不成立
（状態４：発生イベントＥ２）
「連動先火災」の状態で火災検出となった場合であり、状態６の「連動元火災＋連動先火災（連動元警報）」、状態７の「連動元火災＋連動先火災（連動先警報）」、または、状態２の「連動元火災」に遷移する。
【０１３９】
ここで、状態７に遷移した場合は、対応符号ｎによる図１０の参照から、「別の場所でも火災が起きていることをユーザーに再度認識させることができる。」という効果が得られる。また、状態２に遷移した場合は、対応符号ｏによる図１０の参照から、「自身の火災を優先して報知する。複数の状態を持たなくて良いため、メモリ容量が削減できる。」という効果が得られる。
【０１４０】
（状態４：発生イベントＥ３）
「連動先火災」の状態で音響停止操作となった場合であり、状態５の「連動元火災＋音響停止」に遷移する。
【０１４１】
（状態４：発生イベントＥ４）  不成立
（状態４：発生イベントＥ５）（請求項７対応）
「連動先火災」の状態で復旧信号受信となった場合であり、状態１の「通常」に遷移する。
【０１４２】
（状態４：発生イベントＥ６）
「連動先火災」の状態で他の住警器からの火災信号受信となった場合であり、状態４の「連動先火災」を維持する。
【０１４３】
（状態４：発生イベントＥ７）
「連動先火災」の状態で他の住警器からの音響停止信号受信となった場合であり、状態５の「連動先火災＋音響停止」に遷移する。
【０１４４】
次に状態５を説明する。
【０１４５】
（状態５：発生イベントＥ１）  不成立
（状態５：発生イベントＥ２）
「連動先火災＋音響停止」の状態で火災検出となった場合であり、状態６の「連動元火災＋連動先火災（連動元警報）」、状態７の「連動元火災＋連動先火災（連動先警報）」、状態８の「連動元火災＋連動先火災＋音響停止」、状態２の「連動元火災」、または状態３の「連動元火災＋音響停止」に遷移する。
【０１４６】
ここで、状態７に遷移した場合は、対応符号ｐによる図１０の参照から、「別の場所でも火災が起きていることをユーザーに再認識させることができる。」という効果が得られる。
【０１４７】
また、状態８に遷移した場合は、対応符号ｑによる図１０の参照により、「音響停止状態を維持するため、ユーザーを混乱させない。」という効果が得られる。
【０１４８】
また、状態２に遷移した場合は、対応符号ｒによる図１０の参照から、「自身の火災を優先して報知する。複数の状態を持たなくて良いため、メモリ容量が削減できる。」という効果が得られる。
【０１４９】
さらに、状態３に遷移した場合は、対応符号ｓによる図１０の参照から、「自身の火災を優先するが音響は出力しない。音響停止状態を維持するため、ユーザーを混乱させない。複数の状態を持たなくて良いため、メモリ容量が削減できる。」という効果が得られる。
【０１５０】
（状態５：発生イベントＥ３）
「連動先火災＋音響停止」の状態で音響停止操作となった場合であり、状態５を維持するか、または、状態４の「連動先火災」に遷移する。
【０１５１】
ここで、状態４に遷移した場合は、対応符号ｔによる図１０の参照から、「別の場所の火災が継続中であることをユーザーに認識させることができる。」という効果が得られる。
【０１５２】
（状態５：発生イベントＥ４）
「連動先火災＋音響停止」の状態で復旧信号受信となった場合であり、状態４の「連動先火災」に遷移する。
【０１５３】
（状態５：発生イベントＥ５）（請求項８対応）
「連動先火災＋音響停止」の状態で音停時間オーバーとなった場合であり、状態１の「通常」に遷移する。
【０１５４】
（状態３：発生イベントＥ６）
「連動先火災＋音響停止」の状態で他の住警器からの火災信号受信となった場合であり、状態５の「連動先火災＋警報停止」、または状態４の「連動先火災」に遷移する。
【０１５５】
ここで、状態４に遷移した場合は、対応符号ｕによる図１０の参照から、「別の場所の火災が継続中であることをユーザーに認識させることができる。」という効果が得られる。
【０１５６】
（状態５：発生イベントＥ７）
「連動先火災＋音響停止」の状態で他の住警器からの音響停止信号受信となった場合であり、状態５を維持するか、または状態４の「連動先火災」に遷移する。
【０１５７】
ここで、状態４に遷移した場合は、対応符号ｖによる図１０の参照から、「別の場所の火災が継続中であることをユーザーに認識させることができる。」という効果が得られる。
【０１５８】
次に状態６を説明する。
【０１５９】
（状態６：発生イベントＥ１）（請求項９対応）
「連動元火災＋連動先火災（連動元鳴動）」の状態で火災復旧となった場合であり、状態４の「連動先火災」、または状態１の「通常」に遷移する。
【０１６０】
ここで、状態１に遷移した場合は、対応符号ｗによる図１０の参照から、「複数の状態を持たなくて良いため、メモリ容量が削減できる。」という効果が得られる。
【０１６１】
（状態６：発生イベントＥ２）
「連動元火災＋連動先火災（連動元鳴動）」の状態で火災検出となった場合であり、状態６を維持する。
【０１６２】
（状態６：発生イベントＥ３）
「連動元火災＋連動先火災（連動元鳴動）」の状態で音響停止操作となった場合であり、状態８の「連動元火災＋連動先火災＋音響停止」に遷移するか、または、状態７の「連動元火災＋連動先火災（連動先鳴動）」に遷移する。
【０１６３】
ここで、状態７に遷移した場合は、対応符号ｘによる図１０の参照から、「別の場所の火災が継続中であることをユーザーに認識させることができる。」という効果が得られる。
【０１６４】
（状態６：発生イベントＥ４）  不成立
（状態６：発生イベントＥ５）（請求項１０対応）
「連動元火災＋連動先火災（連動元鳴動）」の状態で復旧信号受信となった場合であり、状態２の「連動元火災」に遷移する。
【０１６５】
（状態６：発生イベントＥ６）
「連動元火災＋連動先火災（連動元鳴動）」の状態で他の住警器からの火災信号受信となった場合であり、状態６を維持するか、または状態７の「連動元火災＋連動先火災（連動先鳴動）」に遷移する。
【０１６６】
ここで、状態７に遷移した場合は、対応符号ｙによる図１０の参照から、「別の場所の火災が継続中であることをユーザーに認識させることができる。」という効果が得られる。
【０１６７】
（状態６：発生イベントＥ７）
「連動元火災＋連動先火災（連動先鳴動）」の状態で他の住警器からの音響停止信号受信となった場合であり、状態６を維持するか、状態８の「連動元火災＋連動先火災＋音響停止」、または状態７の「連動元火災＋連動先火災（連動先鳴動）」に遷移する。
【０１６８】
ここで、状態８に遷移した場合は、対応符号ｚによる図１１の参照から、「別の場所での操作により警報音を止められる。ユーザーの利便性を向上できる。」という効果が得られる。また、状態７に遷移した場合は、対応符号ａａによる図１１の参照から、「別の場所の火災が継続中であることをユーザーに認識させることができる。」という効果が得られる。
【０１６９】
次に状態７を説明する。
【０１７０】
（状態７：発生イベントＥ１）（請求項１１対応）
「連動元火災＋連動先火災（連動先鳴動）」の状態で火災復旧となった場合であり、状態４の「連動先火災」、または状態１の「通常」に遷移する。
【０１７１】
ここで、状態１に遷移した場合は、対応符号ａｂによる図１１の参照から、「複数の状態を持たなくて良いため、メモリ容量が削減できる。」という効果が得られる。
【０１７２】
（状態７：発生イベントＥ２）
「連動元火災＋連動先火災（連動先鳴動）」の状態で火災検出となった場合であり、状態６の「連動元火災＋連動先火災（連動元警報）」に遷移するか、または状態７の「連動元火災＋連動先火災（連動先警報）」を維持する。
【０１７３】
ここで、状態７を維持した場合は、対応符号ａｃによる図１１の参照から、「火災が継続中であることをユーザーに認識させることができる。」という効果が得られる。
【０１７４】
（状態７：発生イベントＥ３）
「連動元火災＋連動先火災（連動先鳴動）」の状態で音響停止操作となった場合であり、状態８の「連動元火災＋連動先火災＋音響停止」に遷移するか、または、状態６の「連動元火災＋連動先火災（連動元鳴動）」に遷移する。
【０１７５】
ここで、状態６に遷移した場合は、対応符号ａｄによる図１１の参照から、「火災が継続中であることをユーザーに認識させることができる。」という効果が得られる。
【０１７６】
（状態７：発生イベントＥ４）  不成立
（状態７：発生イベントＥ５）（請求項１２対応）
「連動元火災＋連動先火災（連動先鳴動）」の状態で復旧信号受信となった場合であり、状態２の「連動元火災」に遷移する。
【０１７７】
（状態７：発生イベントＥ６）
「連動元火災＋連動先火災（連動先鳴動）」の状態で他の住警器からの火災信号受信となった場合であり、状態７の「連動元火災＋連動先火災（連動先鳴動）」を維持するか、又は状態６の「連動元火災＋連動先火災（連動元鳴動）」に遷移する。
【０１７８】
ここで、状態６に遷移した場合は、対応符号ａｅによる図１１の参照から、「別の場所の火災が継続中であることをユーザーに認識させることができる。」という効果が得られる。
【０１７９】
（状態７：発生イベントＥ７）
「連動元火災＋連動先火災（連動先鳴動）」の状態で他の住警器からの音響停止信号受信となった場合であり、状態７の「連動元火災＋連動先火災（連動先鳴動）」を維持するか、状態８の「連動元火災＋連動先火災＋音響停止」、または、状態６の「連動元火災＋連動先火災（連動元鳴動）」に遷移する。
【０１８０】
ここで、状態８に遷移した場合は、対応符号ａｆによる図１１の参照から、「別の場所での操作により警報音を止められる。ユーザーの利便性を向上できる。」という効果が得られる。また、状態６に遷移した場合は、対応符号ａｇによる図１１の参照から、「火災が継続中であることをユーザーに認識させることができる。」という効果が得られる。
【０１８１】
次に状態８を説明する。
【０１８２】
（状態８：発生イベントＥ１）（請求項１３対応）
「連動元火災＋連動先火災＋音響停止」の状態で火災復旧となった場合であり、状態４の「連動先火災」、状態５の「連動先火災＋音響停止」、または状態１の「通常」に遷移する。
【０１８３】
ここで、状態５に遷移した場合は、対応符号ａｈによる図１１の参照から、「別の場所の火災が継続中であることをユーザーに認識させることができる。」という効果が得られる。また状態１に遷移した場合は、対応符号ａｉによる図１１の参照から、「複数の状態を持たなくて良いため、メモリ容量が削減できる。」という効果が得られる。
【０１８４】
（状態８：発生イベントＥ２）
「連動元火災＋連動先火災＋音響停止」の状態で火災検出となった場合であり、状態８を維持するか、状態６の「連動元火災＋連動先火災（連動元警報）」、または状態７の「連動元火災＋連動先火災（連動先警報）」に遷移する。
【０１８５】
ここで、状態６に遷移した場合は、対応符号ａｊによる図１１の参照から、「火災が継続中であることをユーザーに認識させることができる。」という効果が得られる。また状態７に遷移した場合は、対応符号ａｋによる図１１の参照から、「別の場所の火災が継続中であることをユーザーに認識させることができる。」という効果が得られる。
【０１８６】
（状態８：発生イベントＥ３）
「連動元火災＋連動先火災＋音響停止」の状態で音響停止操作となった場合であり、状態８を維持するか、状態６の「連動元火災＋連動先火災（連動元警報）」、または状態７の「連動元火災＋連動先火災（連動先警報）」に遷移する。
【０１８７】
ここで、状態６に遷移した場合は、対応符号ａｌによる図１１の参照から、「火災が継続中であることをユーザーに認識させることができる。」という効果が得られる。また、状態７に遷移した場合は、対応符号ａｍによる図１１の参照から、「別の場所の火災が継続中であることをユーザーに認識させることができる。」という効果が得られる。
【０１８８】
（状態８：発生イベントＥ４）
「連動元火災＋連動先火災＋音響停止」の状態で音停時間オーバーとなった場合であり、状態６の「連動元火災＋連動先火災（連動元警報）」、または状態７の「連動元火災＋連動先火災（連動先鳴動）」に遷移する。
【０１８９】
ここで、状態７に遷移した場合は、対応符号ａｎによる図１１の参照から、「別の場所の火災が継続中であることをユーザーに認識させることができる。」という効果が得られる。
【０１９０】
（状態８：発生イベントＥ５）（請求項１４対応）
「連動元火災＋連動先火災＋音響停止」の状態で復旧信号受信となった場合であり、状態２の「連動元火災」、または状態３の「連動元火災＋音響停止」に遷移する。
【０１９１】
ここで、状態３に遷移した場合は、対応符号ａｏによる図１１の参照から、「自身の火災を優先するが音響は出力しない。音響停止状態を維持するため、ユーザーを混乱させない。」という効果が得られる。
【０１９２】
（状態８：発生イベントＥ６）
「連動元火災＋連動先火災＋音響停止」の状態で他の住警器からの火災信号受信となった場合であり、状態８を維持するか、状態６の「連動元火災＋連動先火災（連動元鳴動）」、または状態７の「「連動元火災＋連動先火災（連動先鳴動）」に遷移する。
【０１９３】
ここで、状態６に遷移した場合は、対応符号ａｐによる図１２の参照から、「火災が継続中であることをユーザーに認識させることができる。」という効果が得られる。また、状態７に遷移した場合は、対応符号ａｑによる図１２の参照から、「別の場所の火災が継続中であることをユーザーに認識させることができる。」という効果が得られる。
【０１９４】
（状態８：発生イベントＥ７）
「連動元火災＋連動先火災＋音響停止」の状態で他の住警器からの音響停止信号受信となった場合であり、状態８を維持するか、状態６の「連動元火災＋連動先火災（連動元鳴動）」、または状態７の「「連動元火災＋連動先火災（連動先鳴動）」に遷移する。
【０１９５】
ここで、状態６に遷移した場合は、対応符号ａｒによる図１２の参照から、「火災が継続中であることをユーザーに認識させることができる。」という効果が得られる。また、状態７に遷移した場合は、対応符号ａｓによる図１２の参照から、「別の場所の火災が継続中であることをユーザーに認識させることができる。」という効果が得られる。
【０１９６】
なお上記の実施形態は火災検出を対象とした住警器を例に取るものであったが、これ以外にガス漏れ警報器や、防犯用警報器など、それ以外の適宜の異常を検出する住警器につき、本実施形態の警報停止処理をそのまま適用することができる。また住宅用に限らずビルやオフィス用など各種用途の警報器にも適用できる。
【０１９７】
また、上記の実施形態は警報器にセンサ部と警報出力処理部を一体に設けた場合を例にとるが、他の実施形態として、センサ部と警報出力処理部を別体とした警報器であっても良い。
【０１９８】
また上記の実施形態は無線式の住警器を例に取るものであったが、警報停止処理については有線式の住警器であっても、そのまま適用することが可能である。
また本発明は上記の実施形態に限定されず、その目的と利点を損なうことのない適宜の変形を含み、更に上記の実施形態に示した数値による限定は受けない。
【符号の説明】
【０１９９】
１０，１０−１〜１０−５：住警器
１２：カバー
１４：本体
１５：取付フック
１６：検煙部
１８：音響孔
２０：警報停止スイッチ
２２：ＬＥＤ
２４：住宅
２６：ガレージ
２８：ＣＰＵ
３１：アンテナ
３０：無線回路部
３２：記録回路部
３４：センサ部
３６：報知部
３８：操作部
４０：電池電源
４２：送信回路
４４：受信回路
４６：メモリ
４８：イベント信号
５０：送信元符号
５２：グループ符号
５４：イベント符号
５５：状態記憶領域
５８：スピーカ
６０：連動元警報出力処理部
６２：連動先警報出力処理部
６４：復旧処理部
６６：警報停止処理部
【図１】
2010250716.tif 000003
【図２】
2010250716.tif 000004
【図３】
2010250716.tif 000005
【図４】
2010250716.tif 000006
【図５】
2010250716.tif 000007
【図６】
2010250716.tif 000008
【図７】
2010250716.tif 000009
【図８】
2010250716.tif 000010
【図９】
2010250716.tif 000011
【図１０】
2010250716.tif 000012
【図１１】
2010250716.tif 000013
【図１２】
2010250716.tif 000014